(57)【要約】【課題】通信端末装置の省電力を目的とする。【解決手段】通信端末装置で、以下の構成を持つもの。▲１▼回線側回路部と、モデム側回路部を持つ半導体ＮＣＵ▲２▼電源のスイッチング信号と同期、または、これらにより作成するクロックと、機器制御部からのクロックを切り替え、回線側回路部に供給する、クロック切り替え手段動作時は、機器制御部からのクロックを、切り替え手段を用い、回線側回路部に出力。待機時は、電源からの信号を同回路部に出力し、機器制御部の負荷を軽減、省電力を実現。【選択図】        図１
2004320335.tif 000002
【特許請求の範囲】
【請求項１】
回線接続部に、トランス等を通し、クロックを供給。同時に、このクロックを用いて回線側回路部の電源を生成する有線通信端末装置において、本体電源部のスイッチング信号に同期した信号、または、このスイッチング信号を用いて、作り出した信号と、制御部（ＣＰＵ等）、または、クロック発生部からの信号を、切り替える手段を持つ。そして、この切り替え手段の出力を、上記回線接続部のクロックとして出力することを特徴とする通信端末装置。
【請求項２】
請求項１において、
公衆回線からの呼び出し信号、または、特定のセンサ、または、キー入力等、待機時から動作に移行するために必要な手段を持つ回線側回路部で、これら機器本体の制御部等に起動をかけることを特徴とする通信端末装置。
【請求項３】
請求項１、２において、
機器がコピー、プリント、待機時等の非通信状態において、本体電源部のスイッチング信号に同期した信号、または、このスイッチング信号を用い作り出した信号を、前記切り替え手段により、上記回線接続部のクロックとし出力する。また、通信状態においては、制御部等からのクロックを、同様の切り替え手段より、前記回線接続部のクロックとし、同回路部に供給することを特徴とする通信端末装置。
【発明の詳細な説明】
【０００１】
【発明の属する技術分野】
本発明は、ファクシミリ装置など、公衆回線に接続される通信端末装置に関し、特に半導体化されたＮＣＵを持つものに関する。
【０００２】
【従来の技術】
従来、ファクシミリ等の通信装置は、待機時の電力を下げるため、特開平７−１７０７２９にあるような、負荷に応じ電源のスイッチング周波数を変化させる方式、特開平７−２６４３４６の様に、待機時には使用しない部分の電源を供給しない方式、また、特開平７−２８８９２６にあるように、待機時、電源のスイッチングを間欠で行う、さらには、特開平８−２７４９１１にあるように、電源を２種類もち、負荷あるいは動作で、両者を切り替える方式が行われている。
【０００３】
その他に、制御部に使用するクロックの周波数を動作時よりも低下、または、制御部、モデム等をスリープモードに入れる方式、また、ファクシミリ等通信装置のシステム制御部ユニットからの電源制御信号を、電源ユニットに送り、電源のスイッチング周波数を変化、あるいは電源ユニット内の電圧出力を制御し、待機時の低消費電力化を実現してきた。
【０００４】
【発明が解決しようとする課題】
しかしながら、従来の方式では、公衆回線に接続される部分、すなわち、半導体化ＮＣＵ部を制御する省電力は考慮されていなかった。本発明は、公衆回線に接続される半導体ＮＣＵ部を持つファクシミリ装置などの、データ通信端末装置において、同ＮＣＵ部の制御を行い、より、省電力のデータ通信端末装置を提供することを目的とする。
【０００５】
本発明に係る第１の発明の目的は、半導体ＮＣＵを持つ通信端末装置を、省電力化するための基本的構成をあらわす。
【０００６】
本発明に係る第２の発明の目的は、第一の発明に、特定キーセンサ検出手段を加え、より省電力を実現することである。
【０００７】
本発明に係る第３の発明の目的は、上記１、２の発明で述べた構成を用い、これらの基本制御を記すことである。
【０００８】
【課題を解決するための手段】
上記目的を達成するため、本出願の請求項１記載の発明は、ファクシミリ等のデータ通信装置において、ＮＣＵ部の回線側回路部に、クロックを供給するトランス手段に、機器本体の電源部からの信号と、機器内の制御部、または、クロック出力手段からの出力とを切り替える手段を備えることを特徴とする。
【０００９】
請求項２記載の発明は、請求項１記載のシステムにおいて、回線からの呼び出し信号、特定センサ、キー入力を、回線側回路部で検出し、これを、モデム側回路部を通し制御部へ、または、機器制御部に直接入力する。これにより、制御部は、これら入力に応じ、起動することを特徴とする。
【００１０】
請求項３記載の発明は、請求項１または２記載のデータ通信装置において、非通信モードにおいて、前記切り替え手段は、電源のスイッチングに同期した信号、または、これを用いて生成した信号を、前記トランス手段に出力する。また、通信等のモードにおいて、前記トランス手段に、前記、切り替え手段は、制御部からの信号、または、クロック出力信号を出力するように切り替えることを特徴とする。
【００１１】
【発明の実施の形態】
以下に本発明の実施例を図を参照しながら説明する。
【００１２】
図１は、本発明を表す実施例である。同図において、１は機器制御を行うシステム制御部。２はＲＯＭ。３はＲＡＭ。４は原稿の画像を読み取る読み取り部。５は通信を行うＭＯＤＥＭ。６は公衆回線に接続するＮＣＵ。７はＮＣＵ内のモデム側回路部。８はＮＣＵ内の回線側回路部。ここに公衆回線を接続する。９は電源である。１０はプリンター部。１１はファクシミリのシステム制御部とプリンター部とのＩ／Ｆ部。１２はプリンターの制御を行うプリンター制御部。１３はキー入力、機器の状態、時刻表示等を行う操作表示部である。１４はシステム制御から、８のＮＣＵ内の回線側回路部に供給するクロック。１５は電源から、８のＮＣＵ内の回線側回路部に供給するクロック。これは、電源のスイッチング信号に同期、または同スイッチング信号を用い、作り出された信号である。１６は１７の出力で、８の回線側回路部に供給されるクロック。１７は１４、１５のクロックを切り替え、８の回線側回路にクロックを供給するクロック切り替え部である。１８は回線側回路部、モデム側回路部間で、データを伝送するためのコンデンサ。１９は１７のクロック切り替え部から出力されたクロックを、８の回線側回路部に伝送するためのトランスである。２０は特定のキー、センサ入力部。これは、回線側回路部の一部である。
【００１３】
上記構成において、図２を用いて実施例の動作について説明する。
【００１４】
Ｓ２０１、Ｓ２０２で、待機モード中の状態変化を検出する。特定センサの変化や、キー入力、呼び出し信号を検出したら、これに応じ、動作モードに移行するかどうかを、Ｓ２０３で検証する。具体例の一例として、本体上に原稿が置かれたことをセンサで検出し、かつ、送信開始のキーを押下された場合に、送信動作に移行する。が、停止キーを押下された場合には、動作モードへは移行しない。また、上記の様に、動作モード移行しない場合、あらかじめ設定した時間以上経過した場合、待機状態に戻ってもよい。また、ユーザが、前記待機モードへの移行時間を設定できるようにしても良い。
【００１５】
動作移行が確定した場合には、Ｓ２０４において、回線側回路部のクロックを、１４のシステム制御部からのクロックに、１７のクロック切り替え部によって、切り替える。これにより、回線側回路部を、待機モードから動作モードに移行させる。
【００１６】
その後、Ｓ２０５により、システムを起動する。システムの起動は、８；回線側回路部から、フォトカプラを通し、１；システム制御部へ信号を伝達してもよい。また、８；回線回路部から、１８のコンデンサを通し、７；モデム側回路部経由で、１；システム制御部へ、起動をかけても良い。あるいは、８；回線側回路部から、９；電源部に、１；システム制御部への電源供給を制御するようにしてもよい。Ｓ２０６で動作（例では、送信）に移行。Ｓ２０７で動作モード終了なら、Ｓ２０８で回線側回路部のクロックを、１７のクロック切り替え部において、１５の電源のスイッチングと同期した信号と切り替え、回線側回路部を待機モードに移行させる。その後、Ｓ２０９にて、１；システム制御部等を待機モードに切り替える。
【００１７】
以上のように、本発明の第一の実施例では、１７；クロック切り替え手段をもつことにより、８；回線側回路部を待機モード、動作モードに切り替えることが可能である。これにより、半導体ＮＣＵの消費電力が低減される。
【００１８】
さらに、８；回線側回路部に、２０；特定キー、センサ入力部を設け、これらの入力を同回線側回路部がかつ、９；電源のスイッチング信号に同期した信号（１５）を１９のトランスを通し、用いることにより、待機時には、８；回線回路部へのクロック供給のみで動作可能であり、機器の１；制御部等の電源を投入する必要がない。以上によって、より一層の省電力が実現可能である。
【００１９】
【発明の効果】
以上説明したように、請求項１記載の発明によれば、前記切り替え手段を持つことによって、前記回線側回路部に、電源のスイッチング信号に同期したクロック信号、または、これを用いて生成したクロック信号と、制御部から、前記回線側回路部に出力されるクロックとを切り替えることが可能となる。これにより、待機時には、前記電源からの生成した信号を、前記回線側回路部に入力し、制御部の負荷低減が可能である。以上により、待機時の機器本体の省電力が可能となる。
【００２０】
また、請求項２記載の発明によれば、特定のキー、センサ検出を、前記回線側回路部が行うことによって、待機時には、同回路部のみの電源投入で済み、大幅な省電力が可能となる。
【００２１】
請求項３記載の発明によれば、待機時以外、半導体ＮＣＵを使用しない場合においても、不要に電力を供給する必要がなくなり、動作時においても、省電力が可能となる。
【図面の簡単な説明】
【図１】本発明の実施例によるファクシミリシステムの構成図である。
【図２】本発明の実施例によるファクシミリシステムの動作を示すフローチャートである。
【符号の説明】
１  システム制御部
２  ＲＯＭ
３  ＲＡＭ
４  読み取り部
５  ＭＯＤＥＭ
６  ＮＣＵ
７  モデム側回路部
８  回線側回路部
９  電源
１０  プリンター部
１１  プリンターＩ／Ｆ部
１２  プリンター制御部
１３  操作表示部
１４  システム制御部からのクロック
１５  電源スイッチング信号に同期したクロック
１６  クロック切り替え部の出力クロック
１７  クロック切り替え部
１８  コンデンサ
１９  トランス
２０  特定キー、センサ入力部
【図１】
2004320335.tif 000003
【図２】
2004320335.tif 000004